(57)【要約】【課題】本発明は、自動車用エアダンパーに関し、より詳細には、ハウジングの開口部に両側に分割されたカバーキャップが一体に射出成形され、ピストンの組み立て後に前記カバーキャップを相互結合し、開口部を遮蔽しながらピストンロッドを支持することによって、部品の数を減少させながら組み立て及び作業時間を短縮させ得るようにしたものである。【解決手段】本発明の構成は、ピストン(２０)がハウジング(１０)に挿入され、ピストンロッド(２１)にキャップ(４)が貫通するように嵌められながら、ハウジング(１０)の開口部が遮蔽されるように組み立てたエアダンパー(５０)において；前記ハウジング(１０)の開口部に本体と一体に射出成形されたカバーキャップ(１５)が、ハウジング(１０)とヒンジ部(１４)で連結された状態で両側に分割形成され、挿入されたピストンロッド(２１)を取り囲むように組み立てられることによって達成される。そして、前記カバーキャップ(１５)は、ハウジング(１０)の内径と面接触するように挿入され、カバーキャップ(１５)の両端部に固定突起(１６)を形成し、ハウジング(１０)に備えられた固定ホール(１１)に固定突起（１６）が嵌められて結束される。また、前記カバーキャップ(１５)は、両側に分割形成され、開口部の前方に重ねられるように組み立てられながら、本体の前方に相互備えられた固定突起(１６)と固定ホール(１１)とを結合することによって組み立てられ、前記カバーキャップ(１５)の外周面に突出面(１７)を形成し、ハウジング(１０)の開口部に位置固定溝(１２)を成形することによって、突出面(１７)が位置固定溝(１２)に嵌められて組み立てられるように構成される。【選択図】図３ａ
2014502574.tif 000002
【特許請求の範囲】
【請求項１】
ピストン(２０)がハウジング(１０)に挿入され、ピストンロッド(２１)にキャップ(４)が貫通するように嵌められながら前記ハウジング(１０)の開口部が遮蔽されるように組み立てたエアダンパー(５０)において；
前記ハウジング(１０)の開口部に本体と一体に射出成形されたカバーキャップ(１５)が、前記ハウジング(１０)とヒンジ部(１４)で連結された状態で両側に分割形成され、挿入された前記ピストンロッド(２１)を取り囲むように組み立てられることを特徴とする自動車用エアダンパー。
【請求項２】
前記カバーキャップ(１５)は、前記ハウジング(１０)の内径と面接触するように挿入され、前記カバーキャップ(１５)の両端部に固定突起(１６)を形成し、前記ハウジング(１０)に備えられた固定ホール(１１)に前記固定突起（１６）が嵌められて結束されることを特徴とする、請求項１に記載の自動車用エアダンパー。
【請求項３】
前記カバーキャップ(１５)は、両側に分割形成され、開口部の前方に重ねられるように組み立てられながら、本体の前方に相互備えられた前記固定突起(１６)と前記固定ホール(１１)とを結合して組み立てられることを特徴とする、請求項１に記載の自動車用エアダンパー。
【請求項４】
前記カバーキャップ(１５)は、外周面に突出面(１７)を形成し、前記ハウジング(１０)の開口部に位置固定溝(１２)を成形することによって、前記突出面(１７)が前記位置固定溝(１２)に嵌められて組み立てられることを特徴とする、請求項３に記載の自動車用エアダンパー。
【発明の詳細な説明】
【技術分野】
【０００１】
本発明は、自動車用エアダンパーに関し、より詳細には、ハウジングの開口部に両側に分割されたカバーキャップが一体に射出成形され、ピストンの組み立て後に前記カバーキャップを相互結合し、開口部を遮蔽しながらピストンロッドを支持することによって、部品の数を減少させながら組み立て及び作業時間を短縮させ得るようにしたものである。
【背景技術】
【０００２】
一般に、グローブボックスは、図１に示すように、パネル１と蓋体２に一方向性のエアダンパー５０を連結し、蓋体２の開放時にはゆっくりなめらかに動作させ、閉鎖時には比較的迅速に動作させることによって開閉感を向上させるように装着される。
【０００３】
前記エアダンパー５０は、図２に示すように、ピストン２０の一端がハウジング１０に挿入され、他端がキャップ４によって閉塞されるようにし、ピストンロッド２１がキャップ４を貫通してハウジング１０の外部に突出している。
【０００４】
このとき、ピストンにはＯ―リング３０が設置され、このＯ―リング３０がピストン２０の外側周囲に嵌め合わされてハウジング１０の内径面に接触することによって、ピストン２０の移動時にハウジング１０の両側に空気室が区画されるように構成することが一般的である。
【０００５】
しかし、前記のように、従来のエアダンパーは、ハウジングにピストンを挿入した後、ピストンロッドが貫通するキャップがハウジングの端部に結束されるように構成されていた。
【０００６】
したがって、エアダンパーを組み立てる工程及び時間が増加し、生産性が低下するという問題があった。
【０００７】
また、ハウジングの一端部に固定ホールを形成し、これに対応する固定突起が形成されたキャップをハウジングに結合する過程で結束位置が食い違った状態で組み立てられるおそれがあり、不良率が増加するという弊端があった。
【発明の概要】
【発明が解決しようとする課題】
【０００８】
本発明は、このような従来のハウジングとキャップとの誤組立及び生産性の減少に対する問題を勘案してなされたもので、その目的は、ハウジングの開口部に、分割されたカバーキャップを本体と一体に射出成形し、ピストンの挿入後、カバーキャップを相互結束するように組み立てることによって生産性を向上させるようにした自動車用エアダンパーを提供することにある。
【０００９】
本発明の他の目的は、ピストンロッドを取り囲みながら両側に分割されたカバーキャップを堅固に結束することによって、製品の性能を向上させた自動車用エアダンパーを提供することにある。
【課題を解決するための手段】
【００１０】
本発明は、前記の目的を達成するために、ピストン２０がハウジング１０に挿入され、ピストンロッド２１にキャップ４が貫通するように嵌められながら、ハウジング１０の開口部が遮蔽されるように組み立てたエアダンパー５０において；前記ハウジング１０の開口部に本体と一体に射出成形されたカバーキャップ１５が、ハウジング１０とヒンジ部１４で連結された状態で両側に分割形成され、挿入されたピストンロッド２１を取り囲むように組み立てられることによって達成される。
【００１１】
そして、前記カバーキャップ１５は、ハウジング１０の内径と面接触するように挿入され、カバーキャップ１５の両端部に固定突起１６を形成し、この固定突起１６は、ハウジング１０に備えられた固定ホール１１に嵌められて結束される。
【００１２】
また、前記カバーキャップ１５は、両側に分割形成され、開口部の前方に重ねられるように組み立てられながら、本体の前方に相互備えられた固定突起１６と固定ホール１１とを結合して組み立て、カバーキャップ１５の外周面に突出面１７を形成し、ハウジング１０の開口部に位置固定溝１２を成形することによって、突出面１７が位置固定溝１２に嵌められて組み立てられるように構成される。
【発明の効果】
【００１３】
このような構造からなる本発明によると、ハウジングにピストンを挿入し、ピストンロッドを支持するカバーキャップを迅速に結合することができ、組み立て工程及び時間を短縮させ、生産性を向上させることができる。
【００１４】
また、円状のハウジングに嵌められるピストンロッドの位置を一定にして組み立てることによって誤組立を防止し、製品の構造を単純化しながら部品の数を節減することによって、製品競争力が増大し得る非常に有用な発明である。
【図面の簡単な説明】
【００１５】
【図１】従来のエアダンパーの使用状態図である。
【図２】従来のエアダンパーの分解斜視図である。
【図３】図３ａは本発明が適用されたエアダンパーの斜視図であり、図３ｂは本発明が適用されたエアダンパーの斜視図である。
【図４】本発明の構成であるハウジングの組立平面図である。
【図５】図５ａは本発明の他の実施例を示した斜視図であり、図５ｂは本発明の他の実施例を示した斜視図である。
【図６】図６ａは本発明の他の実施例の組立平面図であり、図６ｂは本発明の他の実施例の組立平面図であり、図６ｃは本発明の他の実施例の組立平面図である。
【発明を実施するための形態】
【００１６】
以下では、添付の図面と関連して前記の目的を達成するための本発明の構成と作動例を説明する。
【００１７】
本発明の自動車用エアダンパーは、ハウジングの開口部に両側に分割されたカバーキャップが一体に射出成形され、ピストンの組み立て後に前記カバーキャップを相互結合し、開口部を遮蔽しながらピストンロッドを支持することによって、部品の数を減少させながら組み立て及び作業時間を短縮させ得るようにしたものである。
【００１８】
まず、本明細書で使用する大略的な方向を図３ａ及び図３ｂを基準にして説明すると、ハウジング１０の内部にピストン２０が挿入され、空気室が区画されるようにし、ハウジング１０の開口部には、両端部にカバーキャップ１５が分割成形され、このカバーキャップ１５を用いてピストンロッド２１を取り囲みながら開口部を閉鎖させるようになる。
【００１９】
このとき、ピストン２０にはＯ―リング３０が設置され、このＯ―リング３０がピストン２０の外側周囲に嵌め合わされてハウジング１０の内径面に接触移動することによって、ピストン２０の移動時にハウジング１０の両側に空気室が区画される。
【００２０】
そして、前記ハウジング１０と一体に射出成形されたカバーキャップ１５は、開口部において両端にヒンジ部１４で連結された状態で分割形成し、開放状態及び閉鎖状態で自由に回転できるようにする。
【００２１】
また、分割されたカバーキャップ１５を結合して開口部を閉鎖した状態では、中央部にピストンロッド２１が貫通するようにし、カバーキャップ１５は、ハウジング１０の内径に本体が面接触しながら支持されるように一定の幅を有して成形される。
【００２２】
また、前記カバーキャップ１５の本体には、ハウジング１０の一端に形成された固定ホール１１に嵌められる固定突起１６が形成され、ピストン２０の挿入後に開口部の閉鎖状態を固定させるようにした。
【００２３】
このように、前記ハウジング１０の開口部に一体に形成されたカバーキャップ１５は、図４に示すように、ハウジング１０の内部にピストンが挿入され、ピストンロッド２１が外部に突出した状態で両端の分割されたカバーキャップ１５を中心部に回転させ、ピストンロッド２１を取り囲みながら固定突起１６が固定ホール１１に嵌められて結束されるようにした。
【００２４】
そして、本発明の他の実施例では、図５ａ及び図５ｂに示すように、分割形成されたカバーキャップ１５の開口部の前方に重ねられるように組み立てられながら、本体の前方に相互備えられた固定突起１６と固定ホール１１とを結合して組み立てることもできる。
【００２５】
すなわち、ハウジング１０とカバーキャップ１５がヒンジ部１４で連結されて開放・閉鎖状態で容易に回動しながら、開口部の前方に分割されたカバーキャップ１５が重ねられながら結束されるようにした。
【００２６】
このような構成を有するカバーキャップ１５は、中央にピストンロッド２１の本体を取り囲みながら、その垂直線上の外側でカバーキャップ１５が重ねられるように組み立てられ、前記の重ねられる面に固定突起１６と固定ホール１１とが互いに対応して形成されることによって達成される。
【００２７】
また、カバーキャップ１５の外周面に突出面１７を形成し、ハウジング１０の開口部に位置固定溝１２を成形することによって、分割されたカバーキャップ１５の突出面１７が位置固定溝１２にそれぞれ嵌められて組み立てられるように構成される。
【００２８】
したがって、前記カバーキャップ１５の組み立て順序は、図６ａないし図６ｃに示すように、固定突起１６が形成されたカバーキャップ１５がヒンジ部１４を中心に開口部の中央に回転し、このカバーキャップ１５に形成された突出面１７が位置固定溝１２に嵌められる。
【００２９】
そして、固定ホール１１が形成された他のカバーキャップ１５を中央部に回転させ、固定突起１６が固定ホール１１に重ねられながら嵌められるようになり、このカバーキャップ１５の突出面１７もハウジング１０の位置固定溝１２に嵌められて開口部を遮蔽させるようにした。
【００３０】
以上説明した本発明は、上述した実施例及び図面によって限定されるものではなく、本発明の技術的思想を逸脱しない範囲内で多様な置換、変形及び変更が可能であることは、本発明の属する技術分野で通常の知識を有する者にとって明白であろう。
【図１】
2014502574.tif 000003
【図２】
2014502574.tif 000004
【図３ａ】
2014502574.tif 000005
【図３ｂ】
2014502574.tif 000006
【図４】
2014502574.tif 000007
【図５ａ】
2014502574.tif 000008
【図５ｂ】
2014502574.tif 000009
【図６ａ】
2014502574.tif 000010
【図６ｂ】
2014502574.tif 000011
【図６ｃ】
2014502574.tif 000012
【国際調査報告】
2014502574.tif 000013
2014502574.tif 000014
2014502574.tif 000015
2014502574.tif 000016